(57)【要約】【課題】浮き下を長くしても道糸を十分に巻き取ることができ、また、魚が餌に食い付いたときに浮き体に大きな浮力が急激に作用することがなく、さらにまた、魚の大きな当たりも微細な当たりも容易に知ることができる釣り用浮きを提供する。【解決手段】釣り用浮き１は釣り竿７先端のガイド９を通過させて引き出される道糸２に設けられ、ガイド９を通過することが可能であって道糸２に固定的に設けられる浮止め３と、ガイド９を通過することが不能であって浮止め３の位置まで道糸２に沿って移動可能なシモリ玉４と、シモリ玉４と錘５との間を道糸２に沿って移動可能な複数個の浮き体６とで構成される。各浮き体６は道糸２を摺動自由に挿通するガイド孔をそれぞれ備え、各浮き体６のガイド孔が連通するように全ての浮き体６が一列に連ねられている。【選択図】図１
2005198646.tif 000002
【特許請求の範囲】
【請求項１】
釣り竿先端のガイドを通過させて引き出される道糸に設けられる釣り用浮きであって、前記ガイドを通過することが可能であって道糸に固定的に設けられる浮止めと、前記ガイドを通過することが不能であって浮止めの位置まで道糸に沿って移動可能なシモリ玉と、シモリ玉と錘との間の道糸上に道糸に沿って移動可能に設けられる複数個の浮き体とで構成されており、前記の各浮き体は、道糸を摺動自由に挿通するガイド孔をそれぞれ備え、各浮き体のガイド孔が連通するように全ての浮き体が一列に連ねられて成る釣り用浮き。
【請求項２】
前記の複数個の浮き体は、水面に浮いた状態での水面下への引き込みに対する抵抗力に差異がある少なくとも２種類の浮き体により構成されている請求項１に記載された釣り用浮き。
【請求項３】
前記の複数個の浮き体は、全てが同一材料、同一構造のものであって、体積に差異がある少なくとも２種類の浮き体により構成されている請求項１または２に記載された釣り用浮き。
【請求項４】
前記の複数個の浮き体は、前記抵抗力の大きい方の浮き体が少なくとも１個と、前記抵抗力の小さい方の浮き体が少なくとも２個とから成り、前記抵抗力の大きい方の浮き体を道糸の先端側に位置させる請求項２に記載された釣り用浮き。
【請求項５】
前記の各浮き体は、内部に空気が閉じ込められた中空室を有する中空部材をもって構成され、前記中空部材には中空室を貫通する道糸のガイド孔が形成されている請求項１〜４のいずれかに記載された釣り用浮き。
【請求項６】
前記の各浮き体は、内部に空気が閉じ込められた中空室を有する筒状の中空部材をもって構成され、前記中空部材の外周部分には長さ方向に沿って道糸のガイド孔が形成されている請求項１〜４のいずれかに記載された釣り用浮き。
【請求項７】
前記の各浮き体は、内部に空気が閉じ込められた中空室を有する中空部材を複数個接合して構成されるとともに、前記接合部分に道糸のガイド孔が形成されている請求項１〜４のいずれかに記載された釣り用浮き。
【発明の詳細な説明】
【技術分野】
【０００１】
この発明は、リールにより巻き取られる道糸に設けられる釣り用浮きに関し、特にこの発明は、浮き体が浮き下を移動できるように構成されている釣り用浮きに関する。
【背景技術】
【０００２】
従来、釣り用浮きは、浮き体として棒状のものなど、種々の形態のものが用いられている。浮き体は典型的には道糸の水深に応じた位置に固定的に取り付けられる。この種の浮きは、水深が浅ければ問題ないが、水深が深いときは浮き下を長くするため、リールに道糸を十分に巻き取ることができない。つまり、浮き体が釣り竿の先端に設けられたリングの位置に達したとき、それ以上に道糸を巻き取ることができず、その結果、釣り上げた魚を手元まで十分に引き寄せられず、途中で魚を取り逃がしてしまう。
【０００３】
水深が深い場合には、浮き体を道糸に沿って移動させて浮き下を短くできる移動浮きを用いることもできる。従来の移動浮きは、道糸にガイドを通過することが可能な浮止めを固定的に設けるとともに、浮止めの位置まで道糸に沿って移動させることが可能なシモリ玉と、シモリ玉と錘との間を道糸に沿って移動させることが可能な浮き体とを設けて成るものである。
なお、この発明は、先行技術調査を行うことなく、上記した公知または公用の技術をもとに開発されたものであり、そのために、記載すべき先行技術文献情報は存在しない。
【発明の開示】
【発明が解決しようとする課題】
【０００４】
この種の移動浮きでは、浮き体を道糸に沿って水面下から水面まで移動させて浮遊させるために浮力の大きな浮き体を用いる必要がある。
しかしながら、浮き体の浮力が大きい場合、魚が餌に食い付いて浮き体が水中に引き込まれると、浮き体に大きな浮力が作用してその浮力が餌に伝わるため、魚が違和感を感じて餌を放してしまい、餌の食い付きが悪いという問題がある。
【０００５】
この発明は、上記した問題に着目してなされたもので、浮き下を長くしても道糸を十分に巻き取ることができ、また、魚が餌に食い付いたときに浮き体に大きな浮力が急激に作用することのない釣り用浮きを提供することを目的とする。
また、この発明が他に目的とするところは、魚の大きな当たりも微細な当たりも容易に知ることができる釣り用浮きを提供することにある。
【課題を解決するための手段】
【０００６】
この発明による釣り用浮きは、釣り竿先端のガイドを通過させて引き出される道糸に設けられるものであって、前記ガイドを通過することが可能であって道糸に固定的に設けられる浮止めと、前記ガイドを通過することが不能であって浮止めの位置まで道糸に沿って移動可能なシモリ玉と、シモリ玉と錘との間の道糸上に道糸に沿って移動可能に設けられる複数個の浮き体とで構成されている。前記の各浮き体は、道糸を摺動自由に挿通するガイド孔をそれぞれ備え、各浮き体のガイド孔が互いに連通するように全ての浮き体が一列に連ねられて成る。
【０００７】
この発明による釣り用浮きが水中に投げ入れられると、各浮き体は道糸に沿って上方へ移動し、シモリ玉とともに浮止めの位置で止まる。このとき、錘の重量を適宜選択することにより、殆ど全ての浮き体を水面に浮遊させることもでき、また、水面にいくつかの浮き体を浮遊させ、水面下に残りの浮き体を位置させることもできる。魚が餌に食い付くと、複数個の浮き体が１個づつ順次水中に引き込まれるので、大きな浮力が急激に餌に加わることがなく、魚は違和感を感じない。また、強い当たりに対しては多数個の浮き体が順次水中に引き込まれ、微細な当たりに対しては１個ないしは少数個の浮き体が水中に引き込まれたり水面を浮き沈みしたりするので、魚の大きな当たりも微細な当たりも容易に知ることができる。さらに、魚を釣り上げる際、たとえ水深が深くて浮き下が長くても、各浮き体およびシモリ玉は道糸に沿って釣り針の方向へ移動することができるので、道糸は十分に巻き取られ、釣り上げた魚は手元まで十分に引き寄せられる。
【０００８】
この発明の上記した構成において、「浮止め」は道糸にゴムなどの部材を装着して形成されたものであってもよく、道糸をこぶ状に結んで形成されたものであってもよい。なお、「シモリ玉」は各浮き体が浮止めを通過しないようにするための部材である。
【０００９】
前記の複数個の浮き体は、全てを同一材料、同一構造、同一体積のものに設定するなどして、水面に浮いた状態での水面下への引き込みに対する抵抗力が同じものとすることもできるが、この発明の好ましい一実施態様においては、水面に浮いた状態での水面下への引き込みに対する抵抗力に差異がある少なくとも２種類の浮き体により構成する。
さらに好ましい実施態様においては、前記の複数個の浮き体は、全てが同一材料、同一構造のものであって、体積に差異がある少なくとも２種類の浮き体により構成する。
【００１０】
上記した構成の浮き体を用いる場合、水面に浮いた状態での水面下への引き込みに対する抵抗力の大きい方の浮き体は水面下に位置し、抵抗力の小さい方の浮き体が水面に浮遊するように錘の重量を定める。なお、抵抗力の小さい方の浮き体は前記抵抗力が可能な限り小さな値（ゼロに近い値）に設定するのが望ましい。
この実施態様によると、魚が餌に食い付くと、水面に浮遊する浮き体が１個づつ順次水面下に引き込まれる。このとき、水面に浮く浮き体は水面下への引き込みに対する抵抗力が小さいので、大きな浮力が急激に餌に加わることがなく、魚は違和感を感じない。また、水面に浮遊する浮きの動きが顕著であるので、当たりがきわめて分かり易い。
錘を適度に重くするとともに、水面下に位置させる浮き体の体積や個数を増やして浮力を増せば、潮流に流されないように餌を定位させることができ、また、投げ入れ時、魚がいる棚まで餌を高速度で到達させて短時間に定位させることができる。
【００１１】
各浮き体には、種々の形態があるが、一実施態様としての各浮き体は、内部に空気が閉じ込められた中空室を有する中空部材をもって構成される。前記中空部材には中空室を貫通する道糸のガイド孔が形成されている。
【００１２】
他の実施態様としての各浮き体は、内部に空気が閉じ込められた中空室を有する筒状の中空部材をもって構成される。前記中空部材の外周部分には長さ方向に沿って道糸のガイド孔が形成されている。
【００１３】
さらに他の実施態様としての各浮き体は、内部に空気が閉じ込められた中空室を有する中空部材を複数個接合して構成されるとともに、前記接合部分に道糸のガイド孔が形成されている。
【発明の効果】
【００１４】
この発明によれば、各浮き体が道糸に沿って移動可能であるから、水深が深くて浮き下を長くしても道糸を十分に巻き取ることができる。また、魚が餌に食い付いたときには各浮き体が順次水中に引き込まれるので、浮き体に大きな浮力が急激に作用することがなく、魚が違和感を感じて餌を放すこともない。さらに、当たりの大きさに応じた個数だけ浮き体が順次水中に引き込まれたり、水面を浮き沈みしたりするので、魚の大きな当たりも微細な当たりも容易に知ることができる。
【発明を実施するための最良の形態】
【００１５】
図１および図２は、この発明の一実施例である釣り用浮き１を示している。なお、図１は道糸２を繰り出して釣り用浮き１を水中に投げ入れた後の状態を、図２は道糸２を巻き取って釣り用浮き１を水面ａ上に引き上げたときの状態を、それぞれ示している。
図示例の釣り用浮き１は、道糸２に固定的に設けられる浮止め３と、道糸２上に浮止め３の位置まで道糸２に沿って移動可能に設けられるシモリ玉４と、シモリ玉４と錘５との間の道糸２上に道糸２に沿って移動可能に設けられる複数個（図示例では６個）の浮き体６とで構成されている。
【００１６】
前記道糸２は釣り竿７の基端部に装着されたリール８に巻かれており、このリール８より道糸２を繰り出して釣り竿７の先端に取り付けられたリング状のガイド９を通過させ、前方へ引き出す。道糸２の先端には釣り針１０が、その手前位置には適度な重さの錘５が、それぞれ取り付けられている。図示例では、６個の浮き体６のうち、ほぼ半数の浮き体６が水面に浮き、残りの半数の浮き体６が水面ａ下に没するように錘５の重さを設定している。
【００１７】
前記浮止め３は、前記ガイド９を通過することが可能でありかつシモリ玉４の移動を阻止することが可能であれば、道糸２にゴムなどの部材を装着して形成したものであってもよく、また道糸２をこぶ状に結んで形成したものであってもよい。なお、浮止め３は水深に応じた位置に設けられる。
【００１８】
また、前記シモリ玉４は、各浮き体６が浮止め３を通過しないようにするための球状の部材であり、前記ガイド９を通過することが不能な大きさに形成されている。従って、道糸２を図２のようにリール８に巻き取るとき、浮止め３はガイド９を通過するが、シモリ玉４はガイド９の手前で停止する。このシモリ玉４には球の中心を貫通する道糸２のガイド孔（図示せず。）が形成されている。このガイド孔の孔径は道糸２の直径より十分大きな値に設定されている。従って、シモリ玉４は道糸２に沿って自由に摺動し得る。また、ガイド孔の孔径は浮止め３の外形より小さな値に設定されている。従って、シモリ玉４は浮止め３を乗り越えて移動することがない。
【００１９】
各浮き体６は、図３に示すように、内部に空気が閉じ込められた中空室１１を有する円筒形状の中空部材１２をもって構成されている。前記中空部材１２は合成樹脂の成形体であり、中心を長さ方向へ貫通する道糸２のガイド孔１３が形成されている。このガイド孔１３は孔径が道糸２の直径より十分に大きな値に設定され、このガイド孔１３に道糸２が摺動自由に挿通される。ガイド孔１３は浮き体６の両端面６ａ，６ｂに開口しており、各端面６ａ，６ｂを隣の浮き体６の端面と突き合わせたときガイド孔１３が互いに連通するように全ての浮き体６が一列に連ねられる。
なお、浮き体６の個数は２個以上、望ましくは３個以上に設定されるが、その個数は限定されない。また、浮き体６の形状は必ずしも図示例のような円筒状である必要はなく、例えば球状などであってもよい。
【００２０】
さらに、全ての浮き体６は、同じ大きさのものを用いることもでき、また、後述する図８に示す実施例のように、同一材質、同一構造のものであって体積の異なる２種類の浮き体６Ｌ，６Ｓを用いることもでき、さらには、必要に応じて３種類以上のものを用いることができる。
さらにまた、水面に浮いた状態での水面下への引き込みに対する抵抗力に差異があるように、材質、構造、体積の少なくともひとつを違えた２種類またはそれ以上の浮き体を用いることもできる。
【００２１】
図４は、浮き体６の他の実施例を示している。同図の浮き体６は、図３の浮き体６と同様、内部に空気が閉じ込められた中空室１１を有する円筒形状の中空部材１２をもって構成されている。中空部材１２の外周部分には長さ方向に沿って道糸２のガイド孔１３が形成されている。
【００２２】
図５および図６は、浮き体６のさらに他の実施例を示している。図５の浮き体６は内部に空気が閉じ込められた中空室１１を有する円筒形状の中空部材１２を２個組み合わせて構成され、また、図６の浮き体６は内部に空気が閉じ込められた中空室１１を有する円筒形状の中空部材１２を３個組み合わせて構成されている。
いずれの実施例においても、各中空部材１２は長さ方向を揃えられて外周面が接合されており、その接合部分に長さ方向に沿う道糸２のガイド孔１３が形成されている。
【００２３】
上記した各実施例のように、浮き体６を中空室１１を有する円筒形状の中空部材１２をもって構成した場合、材質を問わず、軽量であって十分な浮力が得られ、形状なども自由に設計できる。なお、浮き体６は、このような中空部材に限らず、発泡体のような材料をもって形成することもできる。
【００２４】
上記した構成の釣り用浮き１は、図１に示すように、錘５が水底ｂの上方に位置するように浮き下を設定することにより、複数の浮き体６のうちのいくつかが水面ａ下に没して半ば起立したような通常の浮きとしての態様で使用される他、図７に示すように、錘５が水底ｂ上に定位するように浮き下を設定することにより、全ての浮き体６が水面ａに横たわったような寝浮きとしての態様で使用される。後者の態様で使用する場合は、錘５として中通し鉛を用いるもので、魚の当たりは道糸２を介して直接各浮き体６に伝わるので、錘５の抵抗がなく、一層魚に違和感を感じさせない。
【００２５】
また、図８に示すように、材質および構造は同じで体積が異なる２種類の浮き体６Ｌ，６Ｓを所定個数づつ用いる場合は、道糸２の先端側（釣り針１０に近い側）に体積の大きい方の浮き体６Ｌを、道糸２の基端側（釣り竿７に近い側）に体積の小さい方の浮き体６Ｓを、それぞれ位置させ、体積の大きい方の浮き体６Ｌは水面ａ下に位置し、体積の小さい方の浮き体６Ｓは水面ａに浮遊するように錘５の重量を定める。なお、図示例の浮き体６Ｌ，６Ｓの外周面には長さ方向に沿う複数の溝が形成され、さらに、体積の小さい方の浮き体６Ｓの両端面はフラットな面に、体積の大きい方の浮き体６Ｌの両端面は凸曲面状の面に、それぞれ形成してあるが、必ずしもそのような形態に形成する必要はない。また、図示例では、道糸２上には釣り竿７の側のみならず、釣り針１０の側にもしもり玉４と浮止め３とが設けてある。
【００２６】
かくして、釣り用浮き１が水中に投げ入れられると、図１および図７に示す実施例では１種類の各浮き体６が、図８に示す実施例では２種類の各浮き体６Ｌ，６Ｓが、それぞれ道糸２に沿って上方へ移動し、浮止め３の位置にあるシモリ玉４によって移動が阻止される。この場合、図１の実施例では、ほぼ半数の浮き体６が水面ａに浮き、残りの半数の浮き体６が水面ａ下に没し、全体が半ば起立状態で浮遊する。図７の実施例では、全ての浮き体６が水面ａに浮き、全体が横たわった状態で浮遊する。図８の実施例では、体積の大きい方の浮き体６Ｌは水面ａ下で起立した状態で浮き、一方、体積の小さい方の浮き体６Ｓは水面ａに横たわった状態で浮遊する。この場合、水面ａ上の浮き体６Ｓと水面ａ下の浮き体６Ｌとがほぼ直角となるように錘５の重量を選定する。
【００２７】
魚が餌に食い付くと、図１や図７に示す実施例では、図中、一点鎖線で示されるように、水面ａ下にある浮き体６はさらに引き込まれ、水面ａにある浮き体６は順次水中に引き込まれるので、大きな浮力が急激に餌に加わることがなく、魚は違和感を感じない。この場合に、強い当たりに対しては多数個の浮き体６が順次水中に引き込まれ、微細な当たりに対しては１個ないしは少数個の浮き体６が水中に引き込まれたり水面ａを浮き沈みしたりするので、魚の大きな当たりも微細な当たりも容易に知ることができる。
【００２８】
また、図８に示す実施例では、浮き体６Ｌ，６Ｓが水面ａ下に引き込まれるとき、水面ａに浮く浮き体６Ｓは体積が小さく、水面ａ下への引き込みに対する抵抗力がとりわけ小さいので、大きな浮力が急激に餌に加わることがなく、魚は殆ど違和感を感じない。また、わずかな当たりに対しても水面ａに浮遊する浮き６Ｓの動きが大きく顕著であるので、当たりがきわめて分かり易い。
【００２９】
魚を釣り上げる際、たとえ水深が深くて浮き下が長くても、各浮き体６，６Ｌ，６Ｓおよびシモリ玉４は道糸２に沿って移動するので、図２に示されるように、道糸２は十分に巻き取られ、釣り上げた魚は手元まで十分に引き寄せることができる。
【図面の簡単な説明】
【００３０】
【図１】この発明の一実施例である釣り用浮きの構成とひとつの使用態様とを示す正面図である。
【図２】道糸が巻き取られた状態を示す正面図である。
【図３】（１）は浮き体の側面図、（２）は（１）のＡ−Ａ線に沿う断面図、（３）は（２）のＢ−Ｂ線に沿う断面図である。
【図４】（１）は浮き体の他の実施例の正面図、（２）は側面図、（３）は（２）のＣ−Ｃ線に沿う断面図である。
【図５】（１）は浮き体の他の実施例の正面図、（２）は側面図、（３）は（２）のＤ−Ｄ線に沿う断面図である。
【図６】（１）は浮き体の他の実施例の正面図、（２）は側面図、（３）は（２）のＥ−Ｅ線に沿う断面図である。
【図７】この発明の一実施例である釣り用浮きの他の使用態様を示す正面図である。
【図８】この発明の他の実施例である釣り用浮きの使用態様を示す正面図である。
【符号の説明】
【００３１】
１    釣り用浮き
２    道糸
３    浮止め
４    シモリ玉
６，６Ｌ，６Ｓ  浮き体
９    ガイド
１１  中空室
１２  中空部材
１３  ガイド孔
【図１】
2005198646.tif 000003
【図２】
2005198646.tif 000004
【図３】
2005198646.tif 000005
【図４】
2005198646.tif 000006
【図５】
2005198646.tif 000007
【図６】
2005198646.tif 000008
【図７】
2005198646.tif 000009
【図８】
2005198646.tif 000010